(57)【要約】【課題】ノート類のリングを塑性変形して用紙を取り外すことができる、ノート類のリングの手動開き具を提供する。【解決手段】このノート類のリングの手動開き具１０は、ノート類Ｎの用紙Ｐを綴じリング１１１より取り外すために、並列された略円環状リング部１２０の環内に入れた押拡部１４を略円環状リング部の円環の中心からリングの分離部１３０に向く方向において押し当てたまま動かし、略円環状リング部の環内に入れた押拡部が略円環状リング部の円環の環内の内側に当接する位置を変位させて、又は、リングの分離部１３０と略円環状リング部１２０の円環の中心とを結ぶ線と交差する方向において、押し当てたまま動かし、環内の内側に当接する位置を変位させて、綴じリングを塑性変形させリングの分離部の間隔を拡げて、綴じリング１１１から用紙Ｐを取り外すように構成されている。【選択図】図１
2014237249.tif 000002
【特許請求の範囲】
【請求項１】
ノート類の用紙の綴じ穴に挿入されて用紙を綴じる綴じリングを、略円環状リング部の向き合うリングの端部の間の分離部の間隔を拡げて、用紙を綴じリングより取り外すために、
並列された略円環状リング部の一方側の略円環状リング部から他方側の略円環状リング部に向けて略円環状リング部の環内に入れた押拡部を略円環状リング部の円環の中心からリングの分離部に向く方向において押し当てたまま動かし、略円環状リング部の環内に入れた押拡部が略円環状リング部の円環の環内の内側に当接する位置を変位させて、
又は、並列された略円環状リング部の一方側の略円環状リング部から他方側の略円環状リング部に向けて略円環状リング部の環内に入れた押拡部を、リングの分離部と略円環状リング部の円環の中心とを結ぶ線と交差する方向において、押し当てたまま動かし、環内の内側に当接する位置を変位させて、
綴じリングを塑性変形させ略円環状リング部の向き合う端部の間のリングの分離部の間隔を拡げて、綴じリングから用紙を取り外すように構成した、
ノート類のリングの手動開き具。
【請求項２】
ノート類の用紙の綴じ穴に挿入されて用紙を綴じる綴じリングを、略円環状リング部の向き合うリングの端部の間の分離部の間隔を拡げて、用紙を綴じリングより取り外すための開き具であって、
略円環状リング部の環内に入れる押拡部が略円環状リング部の向き合うリングの分離部よりも外に突き出る高さに上昇する形状を備えて、
並列された略円環状リング部の一方側の略円環状リング部から他方側の略円環状リング部に向けて略円環状リング部の環内に入れた押拡部を、略円環状リング部の円環の中心からリングの分離部に向く方向において押し当てたまま動かし、略円環状リング部の環内に入れた押拡部が略円環状リング部の円環の環内の内側に当接する位置を変位させて、
綴じリングを塑性変形させ略円環状リング部の向き合う端部の間のリングの分離部の間隔を拡げて、綴じリングから用紙を取り外すように構成した、
ノート類のリングの手動開き具。
【請求項３】
ノート類の用紙の綴じ穴に挿入されて用紙を綴じる綴じリングを、略円環状リング部の向き合うリングの端部の間の分離部の間隔を拡げて、用紙を綴じリングより取り外すための開き具であって、
略円環状リング部の環内に入れる押拡部が略円環状リング部の径よりも長い幅を備えて、
並列された略円環状リング部の一方側の略円環状リング部から他方側の略円環状リング部に向けて略円環状リング部の環内に入れた押拡部を、リングの分離部と略円環状リング部の円環の中心とを結ぶ線と交差する方向において押し当てたまま動かし、環内の内側に当接する位置を変位させて、
綴じリングを塑性変形させ略円環状リング部の向き合う端部の間のリングの分離部の間隔を拡げて、綴じリングから用紙を取り外すように構成した、
ノート類のリングの手動開き具。
【請求項４】
並列された略円環状リング部の向こう側の略円環状リング部から手前側の略円環状リング部に向けてのびるハンドル部と、ハンドル部の一方端に形成された押拡部と、ノート類の用紙の綴じ穴に挿入されて用紙を綴じる略円環状リング部の側部から押拡部を略円環状リング部の環内に入れるためのリング挿入部とを備え、
前記押拡部は、ハンドル部に連設された向こう側から手前側に向けてのびる嘴状であって、押拡部とハンドル部との間に形成されたリング挿入部に向けて先端より徐々にその高さが高くなるように形成され、
前記リング挿入部は、ハンドル部の手前側から向こう側に向けてのびる空間であって、ハンドル部と押拡部との間に位置し、
押拡部のリング挿入部側の側縁を、略円環状リング部の分離部の近傍の内側から宛がい、分離部を抉じ開けるように構成された、請求項１又は請求項２に記載のノート類のリングの手動開き具。
【請求項５】
並列された略円環状リング部の向こう側の略円環状リング部から手前側の略円環状リング部に向けてのびるハンドル部と、ハンドル部の一方端に形成された押拡部と、ノート類の用紙の綴じ穴に挿入されて用紙を綴じる略円環状リング部の側部から押拡部を略円環状リング部の環内に入れるためのリング挿入部とを備え、
前記押拡部は、ハンドル部の向こう側から手前側に向けてのびる翼状であって、ハンドル部の手前側から向こう側に至るに従って、ハンドル部の厚さ方向に向けて徐々にその幅が拡がるように形成され、
前記リング挿入部は、ハンドル部の手前側から向こう側に向けてのびる空間であって、ハンドル部と押拡部との間に位置し、
押拡部のリング挿入部より幅方向に拡がった端縁を、略円環状リング部の内側から宛がい、分離部を押し開けるように構成された、請求項１又は請求項３に記載のノート類のリングの手動開き具。
【請求項６】
並列されたリングの向こう側のリングから手前側のリングに向けてのびるハンドル部と、ハンドル部の一方端に形成された押拡部と、ノート類の用紙の綴じ穴に挿入されて用紙を綴じる略円環状リング部の側部から押拡部をリングの環内に入れるためのリング挿入部とは、
合成樹脂で一体成形され、
又は、
シート状体を厚さ方向に積層して形成され、
又は、
シート状体を折り曲げて組み立てられた、請求項１ないし請求項５のいずれかに記載のノート類のリングの手動開き具。
【発明の詳細な説明】
【技術分野】
【０００１】
この発明は、ノート類のリングを塑性変形させるリングの手動開き具に関し、特に、例えば、リングで綴じられたノート類を分離してファイルするために、リングから用紙を取り外すためのノート類のリングの手動開き具に関する。
【背景技術】
【０００２】
ノート類の綴じ具として、スパイラルリングと非螺旋型リング（特許文献１及び２）とが汎用されている。スパイラルリングは、一本の線材を軸方向に螺旋状に形成してなるものである。非螺旋型リングは、一本の線材を軸方向に規則的な間隔をおいて軸と直交する方向に往復するように折り曲げ、複数の往復部分を一組として組と組との間の軸方向に延びる部分で切断し、往復部分を更に環状に曲げ加工してなるものである。
【先行技術文献】
【特許文献】
【０００３】
【特許文献１】特開２０１１−１６３７４号公報
【特許文献２】特開２００９−２０２３５４号公報
【発明の概要】
【発明が解決しようとする課題】
【０００４】
しかし、特許文献１及び２に記載の非螺旋型リングでは、それに綴じられた用紙を取り外すことができない。
しかしながら、非螺旋型リングに綴じられた用紙を、その記載内容に従って並び換える等、編集してファイリング用具にファイリングしたいという要望がある。
それゆえ、この発明の主たる目的は、ノート類のリングを塑性変形して用紙を取り外すことができる、ノート類のリングの手動開き具を提供することである。
【課題を解決するための手段】
【０００５】
この発明の請求項１の発明にかかるノート類のリングの手動開き具は、ノート類の用紙の綴じ穴に挿入されて用紙を綴じる綴じリングを、略円環状リング部の向き合うリングの端部の間の分離部の間隔を拡げて、用紙を綴じリングより取り外すために、並列された略円環状リング部の一方側の略円環状リング部から他方側の略円環状リング部に向けて略円環状リング部の環内に入れた押拡部を略円環状リング部の円環の中心からリングの分離部に向く方向において押し当てたまま動かし、略円環状リング部の環内に入れた押拡部が略円環状リング部の円環の環内の内側に当接する位置を変位させて、又は、並列された略円環状リング部の一方側の略円環状リング部から他方側の略円環状リング部に向けて略円環状リング部の環内に入れた押拡部を、リングの分離部と略円環状リング部の円環の中心とを結ぶ線と交差する方向において、押し当てたまま動かし、環内の内側に当接する位置を変位させて、綴じリングを塑性変形させ略円環状リング部の向き合う端部の間のリングの分離部の間隔を拡げて、綴じリングから用紙を取り外すように構成した、ノート類のリングの手動開き具である。
この発明の請求項２にかかるノート類のリングの手動開き具は、ノート類の用紙の綴じ穴に挿入されて用紙を綴じる綴じリングを、略円環状リング部の向き合うリングの端部の間の分離部の間隔を拡げて、用紙を綴じリングより取り外すための開き具であって、略円環状リング部の環内に入れる押拡部が略円環状リング部の向き合うリングの分離部よりも外に突き出る高さに上昇する形状を備えて、並列された略円環状リング部の一方側の略円環状リング部から他方側の略円環状リング部に向けて略円環状リング部の環内に入れた押拡部を、略円環状リング部の円環の中心からリングの分離部に向く方向において押し当てたまま動かし、略円環状リング部の環内に入れた押拡部が略円環状リング部の円環の環内の内側に当接する位置を変位させて、綴じリングを塑性変形させ略円環状リング部の向き合う端部の間のリングの分離部の間隔を拡げて、綴じリングから用紙を取り外すように構成した、ノート類のリングの手動開き具である。
この発明の請求項３にかかるノート類のリングの手動開き具は、ノート類の用紙の綴じ穴に挿入されて用紙を綴じる綴じリングを、略円環状リング部の向き合うリングの端部の間の分離部の間隔を拡げて、用紙を綴じリングより取り外すための開き具であって、略円環状リング部の環内に入れる押拡部が略円環状リング部の径よりも長い幅を備えて、並列された略円環状リング部の一方側の略円環状リング部から他方側の略円環状リング部に向けて略円環状リング部の環内に入れた押拡部を、リングの分離部と略円環状リング部の円環の中心とを結ぶ線と交差する方向において押し当てたまま動かし、環内の内側に当接する位置を変位させて、綴じリングを塑性変形させ略円環状リング部の向き合う端部の間のリングの分離部の間隔を拡げて、綴じリングから用紙を取り外すように構成した、ノート類のリングの手動開き具である。
この発明の請求項４にかかるノート類のリングの手動開き具は、並列された略円環状リング部の向こう側の略円環状リング部から手前側の略円環状リング部に向けてのびるハンドル部と、ハンドル部の一方端に形成された押拡部と、ノート類の用紙の綴じ穴に挿入されて用紙を綴じる略円環状リング部の側部から押拡部を略円環状リング部の環内に入れるためのリング挿入部とを備え、前記押拡部は、ハンドル部に連設された向こう側から手前側に向けてのびる嘴状であって、押拡部とハンドル部との間に形成されたリング挿入部に向けて先端より徐々にその高さが高くなるように形成され、前記リング挿入部は、ハンドル部の手前側から向こう側に向けてのびる空間であって、ハンドル部と押拡部との間に位置し、押拡部のリング挿入部側の側縁を、略円環状リング部の分離部の近傍の内側から宛がい、分離部を抉じ開けるように構成された、請求項１又は請求項２に記載のノート類のリングの手動開き具である。
この発明の請求項５にかかるノート類のリングの手動開き具は、並列された略円環状リング部の向こう側の略円環状リング部から手前側の略円環状リング部に向けてのびるハンドル部と、ハンドル部の一方端に形成された押拡部と、ノート類の用紙の綴じ穴に挿入されて用紙を綴じる略円環状リング部の側部から押拡部を略円環状リング部の環内に入れるためのリング挿入部とを備え、前記押拡部は、ハンドル部の向こう側から手前側に向けてのびる翼状であって、ハンドル部の手前側から向こう側に至るに従って、ハンドル部の厚さ方向に向けて徐々にその幅が拡がるように形成され、前記リング挿入部は、ハンドル部の手前側から向こう側に向けてのびる空間であって、ハンドル部と押拡部との間に位置し、押拡部のリング挿入部より幅方向に拡がった端縁を、略円環状リング部の内側から宛がい、分離部を押し開けるように構成された、請求項１又は請求項３に記載のノート類のリングの手動開き具である。
この発明の請求項６にかかるノート類のリングの手動開き具は、並列されたリングの向こう側のリングから手前側のリングに向けてのびるハンドル部と、ハンドル部の一方端に形成された押拡部と、ノート類の用紙の綴じ穴に挿入されて用紙を綴じる略円環状リング部の側部から押拡部をリングの環内に入れるためのリング挿入部とは、合成樹脂で一体成形され、又は、シート状体を厚さ方向に積層して形成され、又は、シート状体を折り曲げて組み立てられた、請求項１ないし請求項５のいずれかに記載のノート類のリングの手動開き具である。
【発明の効果】
【０００６】
請求項１の発明によれば、ノート類の用紙の綴じ穴に挿入されて用紙を綴じる綴じリングを、略円環状リング部の向き合うリングの端部の間の分離部の間隔を拡げて、用紙を綴じリングより取り外すために、並列された略円環状リング部の一方側の略円環状リング部から他方側の略円環状リング部に向けて略円環状リング部の環内に入れた押拡部を略円環状リング部の円環の中心からリングの分離部に向く方向において押し当てたまま動かし、略円環状リング部の環内に入れた押拡部が略円環状リング部の円環の環内の内側に当接する位置を変位させて、又は、並列された略円環状リング部の一方側の略円環状リング部から他方側の略円環状リング部に向けて略円環状リング部の環内に入れた押拡部を、リングの分離部と略円環状リング部の円環の中心とを結ぶ線と交差する方向において、押し当てたまま動かし、環内の内側に当接する位置を変位させて、綴じリングを塑性変形させ略円環状リング部の向き合う端部の間のリングの分離部の間隔を拡げて、綴じリングから用紙を取り外すように構成しているので、ノート類のリングを塑性変形して用紙を取り外すことができる、ノート類のリングの手動開き具を提供することをできる。
請求項２の発明によれば、ノート類の用紙の綴じ穴に挿入されて用紙を綴じる綴じリングを、略円環状リング部の向き合うリングの端部の間の分離部の間隔を拡げて、用紙を綴じリングより取り外すための開き具であって、略円環状リング部の環内に入れる押拡部が略円環状リング部の向き合うリングの分離部よりも外に突き出る高さに上昇する形状を備えて、並列された略円環状リング部の一方側の略円環状リング部から他方側の略円環状リング部に向けて略円環状リング部の環内に入れた押拡部を、略円環状リング部の円環の中心からリングの分離部に向く方向において押し当てたまま動かし、略円環状リング部の環内に入れた押拡部が略円環状リング部の円環の環内の内側に当接する位置を変位させて、綴じリングを塑性変形させ略円環状リング部の向き合う端部の間のリングの分離部の間隔を拡げて、綴じリングから用紙を取り外すように構成しているので、ノート類のリングを塑性変形して用紙を取り外すことができる、ノート類のリングの手動開き具を提供することをできる。
請求項３の発明によれば、ノート類の用紙の綴じ穴に挿入されて用紙を綴じる綴じリングを、略円環状リング部の向き合うリングの端部の間の分離部の間隔を拡げて、用紙を綴じリングより取り外すための開き具であって、略円環状リング部の環内に入れる押拡部が略円環状リング部の径よりも長い幅を備えて、並列された略円環状リング部の一方側の略円環状リング部から他方側の略円環状リング部に向けて略円環状リング部の環内に入れた押拡部を、リングの分離部と略円環状リング部の円環の中心とを結ぶ線と交差する方向において押し当てたまま動かし、環内の内側に当接する位置を変位させて、綴じリングを塑性変形させ略円環状リング部の向き合う端部の間のリングの分離部の間隔を拡げて、綴じリングから用紙を取り外すように構成しているので、ノート類のリングを塑性変形して用紙を取り外すことができる、ノート類のリングの手動開き具を提供することをできる。
請求項４の発明によれば、並列された略円環状リング部の向こう側の略円環状リング部から手前側の略円環状リング部に向けてのびるハンドル部と、ハンドル部の一方端に形成された押拡部と、ノート類の用紙の綴じ穴に挿入されて用紙を綴じる略円環状リング部の側部から押拡部を略円環状リング部の環内に入れるためのリング挿入部とを備え、前記押拡部は、ハンドル部に連設された向こう側から手前側に向けてのびる嘴状であって、押拡部とハンドル部との間に形成されたリング挿入部に向けて先端より徐々にその高さが高くなるように形成され、前記リング挿入部は、ハンドル部の手前側から向こう側に向けてのびる空間であって、ハンドル部と押拡部との間に位置し、押拡部のリング挿入部側の側縁を、略円環状リング部の分離部の近傍の内側から宛がい、分離部を抉じ開けるように構成されているので、ノート類のリングを塑性変形して用紙を取り外すことができる、ノート類のリングの手動開き具を提供することをできる。
請求項５の発明によれば、並列された略円環状リング部の向こう側の略円環状リング部から手前側の略円環状リング部に向けてのびるハンドル部と、ハンドル部の一方端に形成された押拡部と、ノート類の用紙の綴じ穴に挿入されて用紙を綴じる略円環状リング部の側部から押拡部を略円環状リング部の環内に入れるためのリング挿入部とを備え、前記押拡部は、ハンドル部の向こう側から手前側に向けてのびる翼状であって、ハンドル部の手前側から向こう側に至るに従って、ハンドル部の厚さ方向に向けて徐々にその幅が拡がるように形成され、前記リング挿入部は、ハンドル部の手前側から向こう側に向けてのびる空間であって、ハンドル部と押拡部との間に位置し、押拡部のリング挿入部より幅方向に拡がった端縁を、略円環状リング部の内側から宛がい、分離部を押し開けるように構成されているので、ノート類のリングを塑性変形して用紙を取り外すことができる、ノート類のリングの手動開き具を提供することをできる。
請求項６の発明によれば、並列されたリングの向こう側のリングから手前側のリングに向けてのびるハンドル部と、ハンドル部の一方端に形成された押拡部と、ノート類の用紙の綴じ穴に挿入されて用紙を綴じる略円環状リング部の側部から押拡部をリングの環内に入れるためのリング挿入部とは、合成樹脂で一体成形され、又は、シート状体を厚さ方向に積層して形成され、又は、シート状体を折り曲げて組み立てられているので、効率的にノート類のリングの手動開き具を製造できる。
【０００７】
この発明の上述の目的、その他の目的、特徴及び利点は、図面を参照して行う以下の発明を実施するための形態の説明から一層明らかとなろう。
なお、本明細書において、「リング」とは、一つの綴じ穴に対して、１本又は相互に略平行となる複数本の線材、例えば、二本の線材が通過するように構成されたものについて用いられる。また、「ノート類」とは、ノート、手帳の他、スケッチブック、書籍、写真集、カレンダー等、およそリングを用いて綴じ込むことのできるものを含む広い概念として用いられる。
【図面の簡単な説明】
【０００８】
【図１】本発明の一実施の形態であるノート類のリングの手動開き具の斜視図解図である。
【図２】図１図示ノート類のリングの手動開き具の平面図解図である。
【図３】図１図示ノート類のリングの手動開き具の正面図解図である。
【図４】図１図示ノート類のリングの手動開き具の使用方法を示す図解図であり、（Ａ）は正面図解図であり、（Ｂ）は断面図解図である。
【図５】図１図示ノート類のリングの手動開き具の使用方法を示す図解図であり、（Ａ）は正面図解図であり、（Ｂ）は断面図解図である。
【図６Ａ】図１図示ノート類のリングの手動開き具の別の使用方法を示す図解図であり、（Ａ）は正面図解図であり、（Ｂ）は断面図解図である。
【図６Ｂ】図１図示ノート類のリングの手動開き具の別の使用方法を示す図解図であり、（Ａ）は正面図解図であり、（Ｂ）は断面図解図である。
【図７Ａ】図１図示ノート類のリングの手動開き具の別の使用方法を示す図解図であり、（Ａ）は正面図解図であり、（Ｂ）は断面図解図である。
【図７Ｂ】図１図示ノート類のリングの手動開き具の別の使用方法を示す図解図であり、（Ａ）は正面図解図であり、（Ｂ）は断面図解図である。
【図８】本発明の一実施の形態であるノート類のリングの手動開き具の斜視図解図である。
【図９】図８図示ノート類のリングの手動開き具の平面図解図である。
【図１０】図８図示ノート類のリングの手動開き具の正面図解図である。
【図１１】図８図示ノート類のリングの手動開き具の使用方法を示す図解図であり、（Ａ）は正面図解図であり、（Ｂ）は断面図解図である。
【図１２】図８図示ノート類のリングの手動開き具の使用方法を示す図解図であり、（Ａ）は正面図解図であり、（Ｂ）は断面図解図である。
【図１３】図８図示ノート類のリングの手動開き具の使用方法を示す図解図であり、（Ａ）は正面図解図であり、（Ｂ）は断面図解図である。
【図１４】図８図示ノート類のリングの手動開き具の使用方法を示す斜視図解図である。
【図１５】図８図示ノート類のリングの手動開き具の変形例の斜視図解図である。
【図１６】図１５図示ノート類のリングの手動開き具の平面図解図である。
【図１７】図１５図示ノート類のリングの手動開き具の正面図解図である。
【図１８】図１５図示ノート類のリングの手動開き具の底面図解図である。
【図１９】図１図示ノート類のリングの手動開き具の変形例の斜視図解図であり、（Ａ）は積層前の開き具部材の斜視図解図であり、（Ｂ）は積層後の斜視図解図である。
【図２０】図１図示ノート類のリングの手動開き具の変形例の平面図解図である。
【図２１】図８図示ノート類のリングの手動開き具の変形例の斜視図解図である。
【図２２】図２１図示ノート類のリングの手動開き具の開き具部材の平面図解図である。
【図２３】図２１図示ノート類のリングの手動開き具の開き具部材の図解図であり、（Ａ）は正面図解図であり、（Ｂ）は背面図解図である。
【図２４】綴じリングの斜視図解図である。
【図２５】本発明に係るノート類のリングの手動開き具を使用するリングを備えるノート類の斜視図解図である。
【図２６】図２５の要部拡大斜視図である。
【図２７】図２５の要部拡大平面図である。
【図２８】非螺旋型リングを形成する前の中間素材を示す概略斜視図である。
【図２９】本発明に係るノート類のリングの手動開き具の説明図である。
【図３０】本発明に係るノート類のリングの手動開き具を使用するノート類の説明図である。
【図３１】本発明に係るノート類のリングの手動開き具の使用方法を説明する断面図解図である。
【発明を実施するための形態】
【０００９】
本発明の実施の形態であるノート類のリングの手動開き具を用いて、綴じリングから用紙を取り外されるノートについて説明する。
図２５は、本発明に係るノート類のリングの手動開き具を使用するリングを備えるノート類の斜視図解図であり、図２６は、図２５の要部拡大斜視図であり、図２７は、図２５の要部拡大平面図である。
ノート類Ｎは、多数の綴じ穴１１０を備えた用紙Ｐと、前記綴じ穴１１０内に挿入された非螺旋型リングからなる綴じリング１１１とにより構成されている。用紙Ｐは、表表紙Ｐ１及び裏表紙Ｐ２と、これら表紙Ｐ１，Ｐ２間に位置する多数枚の筆記用紙Ｐ３とにより構成されている。
【００１０】
次に、綴じリング１１１の構造について、主として図２５〜図２８に基づいて説明する。
前記綴じリング１１１は、図２８に示されるように、金属線の外周に樹脂被膜が設けられた一本の線材からなる中間素材Ｌを形成した後、仮想直線Ｃ位置を中心として中間素材Ｌの幅方向両側を図２８中矢印で示す方向に湾曲することによって形成される。
この綴じリング１１１は、中間素材Ｌの状態では短寸幅方向に延びて相互に略平行な位置をとる直線部１１５と、これら直線部１１５の軸方向両端側に位置して当該直線部１１５と交差する第１の屈曲部１１６及び第２の屈曲部１１７からなる。そして、中間素材Ｌを湾曲して綴じリング１１１を形成したときに、前記直線部１１５により略円環状リング部１２０が形成される一方、第１の屈曲部１１６及び第２の屈曲部１１７により右側のリングの端部１２１及び左側のリングの端部１２２が形成されることとなる。
【００１１】
前記第１の屈曲部１１６及び第２の屈曲部１１７は、前記直線Ｃに沿って交互に所定ピッチで形成されている。そして、中間素材Ｌの状態で同一平面内に位置するジグザグ形状に設けられるとともに、第１の屈曲部１１６の長さ若しくは幅は、第２の屈曲部１１７の長さ若しくは幅よりも長く形成されている。そして、綴じリング１１１として完成したときに、略円環状リング部１２０は、前記右側のリングの端部１２１及び左側のリングの端部１２２が相互に干渉することなく側面視略円環状の外形を保有することとなる。
綴じリング１１１は、右側のリングの端部１２１と左側のリングの端部１２２との間の間隙部、すなわち右側のリングの端部１２１と左側のリングの端部１２２とが連結されていない分離部１３０を形成される。
分離部１３０は、並列された向こう側の略円環状リング部１２０から手前側の略円環状リング部１２０にかけて、略々綴じリング１１１の長手方向において略々直線状に並ぶ。
【００１２】
引き続き、本発明にかかるノート類のリングの手動開き具について、主として図１ないし図３に基づいて説明する。
このノート類のリングの手動開き具１０は、ノート類Ｎの用紙Ｐの綴じ穴１１０に挿入されて用紙Ｐを綴じる綴じリング１１１を、略円環状リング部１２０の向き合う右側のリングの端部１２１及び左側のリングの端部１２２の間の分離部１３０の間隔を拡げることによって、間隔を拡げられた分離部１３０から用紙Ｐを抜き出して、綴じリング１１１より用紙Ｐを取り外すための開き具である。
【００１３】
ノート類のリングの手動開き具１０は、並列された略円環状リング部１２０の向こう側の略円環状リング部１２０から手前側の略円環状リング部１２０に向けてのびるハンドル部１２と、ハンドル部１２の一方端に形成された押拡部１４と、ノート類Ｎの用紙Ｐの綴じ穴１１０に挿入されて用紙Ｐを綴じる略円環状リング部１２０の側部から押拡部１４を略円環状リング部１２０の環内に入れるための空間を構成するリング挿入部１６とを備える。
ノート類のリングの手動開き具１０は、板状ないしは棒状のハンドル部１２と、ハンドル部１２の向こう側の先端から手前側に向けてのびる板状ないしは棒状の押拡部１４と、ハンドル部１２と押拡部１４との間にのびる空間のリング挿入部１６とを備え、押拡部１４がハンドル部１２より短い板状ないしは棒状であって、ハンドル部１２と斜交して、ハンドル部１２と押拡部１４とが対向する領域に空間のリング挿入部１６を形成された、正面視略Ｊ字状である。すなわち、押拡部１４は、ハンドル部１２の手前側に向かうに従ってハンドル部１２と離れるように手前側に向けてのびる。
押拡部１４とハンドル部１２は、平らな正面及び平らな背面を備え、段差のないフラットな面で連続している。
【００１４】
ノート類のリングの手動開き具１０は、略円環状リング部１２０の環内に入れる押拡部１４が略円環状リング部１２０の向き合うリングの分離部１３０よりも外に突き出る高さに上昇するように形成され、並列された略円環状リング部１２０の一方側の略円環状リング部１２０から他方側の略円環状リング部１２０に向けて略円環状リング部１２０の環内に入れた押拡部１４を略円環状リング部１２０に押し当てたまま綴じリング１１１の並列方向に手前側に引いて動かせるように構成されている。そして、ノート類のリングの手動開き具１０は、略円環状リング部１２０の環内に入れた押拡部１４を、略円環状リング部１２０の円環の中心からリングの分離部１３０に向けて、押拡部１４の全体又は一部を略円環状リング部１２０の半径方向に変位させて、綴じリング１１１を塑性変形させるように構成されている。
すなわち、ノート類のリングの手動開き具１０は、押拡部１４のリング挿入部１６側とは反対側の外表面（傾斜面３６）を用紙Ｐの綴じリング１１１側の綴じ代側端縁に押し当て、並列された略円環状リング部１２０の一方側の略円環状リング部１２０から他方側の略円環状リング部１２０に向けて略円環状リング部１２０の環内に入れた押拡部１４のリング挿入側面３４を略円環状リング部１２０の円環の中心からリングの分離部１３０に向く方向において押し当てたまま動かし、略円環状リング部１２０の環内に入れた押拡部１４が略円環状リング部１２０の円環の環内の内側に当接する位置を変位させる。
押拡部１４は、押拡部１４のリング挿入部１６側の側縁（リング挿入側面３４）を、略円環状リング部１２０の間隙部（分離部１３０）の近傍の内側から宛がい、間隙部（分離部１３０）を抉じ開けるように構成されている。
このように、ノート類のリングの手動開き具１０は、略円環状リング部１２０を縦方向に抉じ開けて、略円環状リング部１２０の向き合う右側のリングの端部１２１及び左側のリングの端部１２２の間のリングの分離部１３０の間隔を拡げて、綴じリング１１１から用紙Ｐを取り外すように構成している。
【００１５】
並列されたリングの向こう側のリングから手前側のリングに向けてのびるハンドル部１２と、ハンドル部１２の一方端に形成された押拡部１４と、ノート類Ｎの用紙Ｐの綴じ穴１１０に挿入されて用紙Ｐを綴じる略円環状リング部１２０の側部から押拡部１４をリングの環内に入れるためのリング挿入部１６とは、合成樹脂で一体成形されている。
【００１６】
ハンドル部１２は、手で握ることができる板状ないしは棒状である。ハンドル部１２は、綴じリング１１１の向こう側の略円環状リング部１２０から手前側の略円環状リング部１２０に向けてのびる長手方向を備える。
ハンドル部１２は、手で握る把手部２０と、把手部２０の向こう側に突設されたわん曲部２２とを備える。
わん曲部２２は、把手部２０を手で握ったときに、手の甲側に向けて把手部２０より膨出している。
わん曲部２２は、把手部２０を手で握ったときに、手の甲側にあたる部位は円弧状であり、手の指側にあたる部位は直線状のリング挿入側面２４を形成されている。
【００１７】
前記押拡部１４は、ハンドル部１２に連設され、ハンドル部１２の先端側である向こう側から手前側に向けてのびる板状であって、ハンドル部１２の略３分の１の長さを有する、正面視嘴状である。
押拡部１４は、ハンドル部１２の手前側に位置する先端３０が丸みを帯びた鋭角であり、先端３０よりその幅が広がって、押拡部１４とハンドル部１２との間に形成されたリング挿入部１６に向けて先端３０より徐々にその高さが高くなるように形成されている。
押拡部１４のリング挿入側面３４の高さは、先端側では低く、リング挿入部１６の奥側では高くなっており、略円環状リング部１２０の上部と用紙Ｐの綴じリング１１１側の綴じ代側端縁との間の間隔より高くなるように上昇している。
押拡部１４のリング挿入側面３４は、略円環状リング部１２０の環内に挿入され綴じリング１１１の並列方向に動かされたときに、先端３０側よりハンドル部１２に連結される根元３２側に向かうに従って徐々にその高さが高くなっているために、リング挿入部１６側の端縁、すなわちリング挿入側面３４が略円環状リング部１２０より外に突き出る。
【００１８】
押拡部１４は、ハンドル部１２のわん曲部２２に連設されており、ハンドル部１２のわん曲部２２側と対向するリング挿入側面３４と、押拡部１４を綴じリング１１１の略円環状リング部１２０の環内に挿入したとき略円環状リング部１２０の用紙Ｐの綴じ代側端と向き合う傾斜面３６とを備える。
リング挿入側面３４は、ハンドル部１２の前後軸と鋭角α1をもって交差する略平面状である。
リング挿入側面３４とハンドル部１２の前後軸とのなす角度は、押拡部１４の先端側においては、多く開き、押拡部１４の先端からリング挿入部１６の最奥部に至るに従って縮まるように形成されている。
傾斜面３６は、リング挿入側面３４と押拡部１４の先端において交差し、リング挿入側面３４と鋭角α2をもって交差する略平面状である。
傾斜面３６とハンドル部１２の前後軸とのなす角度は、押拡部１４の先端の側においては、多く開き、押拡部１４の先端からハンドル部１２の向こう側に至るに従って縮まるように形成されている。
押拡部１４は、略円環状リング部１２０の環内に挿入され、先端３０又は傾斜面３６を用紙Ｐの綴じリング１１１側の綴じ代側端縁に押し当てられ、綴じリング１１１の並列方向に動かされたときに、先端３０側よりハンドル部１２に連結される根元３２側に向かうに従ってリング挿入側面３４が徐々にその高さが高くなっているために、リング挿入部１６側のリング挿入側面３４が略円環状リング部１２０より外に突き出る。
【００１９】
前記リング挿入部１６は、略円環状リング部１２０を挿入できるように、ハンドル部１２の手前側から向こう側に向けてのびる細隙であって、その最奥部が押拡部１４に位置する。
リング挿入部１６は、ハンドル部１２のリング挿入側面２４と、前記リング挿入側面２４に対向する押拡部１４のリング挿入側面３４との間に形成され、押拡部１４の先端の側にある入り口は大きく開き、最奥部に向けて狭くなるように構成されている。
【００２０】
次に、本件発明にかかるノート類のリングの手動開き具１０を使用してノート類Ｎの綴じリング１１１を塑性変形させて、ノート類Ｎの綴じリング１１１から用紙Ｐを取り外す方法について図４ないし図７に基づいて説明する。
まず、ノート類Ｎの用紙Ｐの綴じ穴１１０に挿入されて用紙Ｐを綴じる綴じリング１１１を、略円環状リング部１２０の向き合う右側のリングの端部１２１及び左側のリングの端部１２２の間の分離部１３０の間隔を拡げて、用紙Ｐを綴じリング１１１より取り外すために、並列された略円環状リング部１２０の一方側の略円環状リング部１２０から他方側の略円環状リング部１２０に向けて、ノート類のリングの手動開き具１０の押拡部１４を略円環状リング部１２０の環内に挿入する。
そのとき、リング挿入部１６に綴じリング１１１の向こう側の略円環状リング部１２０からそれに続く略円環状リング部１２０が、順次挿入される。
次に、先端３０又は傾斜面３６を用紙Ｐの綴じリング１１１側の綴じ代側端縁に押し当て、略円環状リング部１２０の環内に入れた押拡部１４を略円環状リング部１２０に押し当てたまま、ハンドル部１２を手前側に動かす（図５，図６Ａ及び図７Ｂ参照）。そのとき、略円環状リング部１２０の環内に入れた押拡部１４は、略円環状リング部１２０の円環の中心からリングの分離部１３０に向けて、押拡部１４の全体又は一部が半径方向に変位する。すなわち、押拡部１４のリング挿入側面３４が押拡部１４の先端よりリング挿入部１６の最奥部に向かうに従って略円環状リング部１２０の外方に向けて上昇しているので、押拡部１４の移動に伴って先端３０が綴じリング１１１の略円環状リング部１２０を持ち上げて分離部１３０を拡げる。
なお、ハンドル部１２は、綴じリング１１１の略円環状リング部１２０が並列する方向に向けて、ハンドル部１２の前後軸が用紙Ｐの綴じリング１１１側の綴じ代側端縁と斜交する角度を有して又は平行にしてハンドル部１２の前後軸方向に手前側に引く。
ハンドル部１２を、ハンドル部１２の前後軸方向に手前側に引くとき、図７に示すように、先端３０又は傾斜面３６を用紙Ｐの綴じリング１１１側の綴じ代側端縁に押し当てないで、手前側に引いてもよい。
このように、ノート類のリングの手動開き具１０は、押拡部１４のリング挿入部１６側の側縁であるリング挿入側面３４を、略円環状リング部１２０の間隙部（分離部１３０）の近傍の内側から宛がい、略円環状リング部１２０の分離部１３０がある上方に向けて引き上げて間隙部（分離部１３０）を抉じ開けるように構成され、綴じリング１１１を塑性変形させ略円環状リング部１２０の向き合う右側のリングの端部１２１及び左側のリングの端部１２２の間のリングの分離部１３０の間隔を拡げて、間隔を拡げられた分離部１３０から用紙Ｐを抜き出して綴じリング１１１から用紙Ｐを取り外すように構成している。
【００２１】
引き続き、別の実施の形態のノート類Ｎのリングの手動開き具について、主として図８ないし図１０に基づいて説明する。
このノート類のリングの手動開き具２１０は、ノート類Ｎの用紙Ｐの綴じ穴１１０に挿入されて用紙Ｐを綴じる綴じリング１１１を、略円環状リング部１２０の向き合う右側のリングの端部１２１及び左側のリングの端部１２２の間の分離部１３０の間隔を拡げることによって、間隔を拡げられた分離部１３０から用紙Ｐを抜き出して、綴じリング１１１より用紙Ｐを取り外すための開き具である。
【００２２】
ノート類のリングの手動開き具２１０は、並列された略円環状リング部１２０の向こう側の略円環状リング部１２０から手前側の略円環状リング部１２０に向けてのびるハンドル部２１２と、ハンドル部２１２の一方端に形成された押拡部２１４と、ノート類Ｎの用紙Ｐの綴じ穴１１０に挿入されて用紙Ｐを綴じる略円環状リング部１２０の側部から押拡部２１４を略円環状リング部１２０の環内に入れるための空間を構成するリング挿入部２１６とを備える。
ノート類のリングの手動開き具２１０は、板状ないしは棒状のハンドル部２１２と、ハンドル部２１２の向こう側の先端から手前側に向けてのびる板状ないしは棒状の押拡部２１４と、ハンドル部２１２と押拡部２１４との間にのびる空間のリング挿入部２１６とを備え、押拡部２１４がハンドル部２１２より短い板状ないしは棒状であって、ハンドル部２１２と斜交して、ハンドル部２１２と押拡部２１４とが対向する領域に空間のリング挿入部２１６を形成された、正面視略Ｊ字状である。すなわち、押拡部２１４は、ハンドル部２１２の手前側に向かうに従ってハンドル部２１２と離れるように手前側に向けてのびる。
ハンドル部２１２は、把手部２２０の向こう側の先端に介在部２２２を突設され、押拡部２１４を連設するための介在部２２２と把手部２２０とは平らな正面及び平らな平面を備え、段差のないフラットな面で連続している。
押拡部２１４は、ハンドル部２１２の把手部２２０及び介在部２２２の正面及び背面より、直交する方向、すなわちハンドル部２１２の前後軸と交差する方向に向けて外方にのびる平面視翼状である。
ノート類のリングの手動開き具２１０は、棒状のハンドル部２１２の半ばから左右に張り出した、平面視略櫂状である。
【００２３】
ノート類のリングの手動開き具２１０は、略円環状リング部１２０の環内に入れる押拡部２１４が略円環状リング部１２０の径よりも長い幅を備えて、並列された略円環状リング部１２０の一方側の略円環状リング部１２０から他方側の略円環状リング部１２０に向けて略円環状リング部１２０の環内に入れた押拡部２１４を略円環状リング部１２０に押し当てたまま綴じリング１１１の並列方向に手前側に引いて動かせるように構成されている。そして、ノート類のリングの手動開き具２１０は、略円環状リング部１２０の環内に入れた押拡部２１４を、略円環状リング部１２０の並列される方向に向こう側から手前側に動くに従ってリングの分離部１３０と略円環状リング部１２０の円環の中心とを結ぶ線と交差する方向に向けて、幅が広がって半径方向に変位させて、綴じリング１１１を径方向に塑性変形させるように構成されている。
すなわち、ノート類のリングの手動開き具２１０は、押拡部２１４の先端２３０又は押拡部２１４のリング挿入部２１６側とは反対側の外表面（挿入平面２３６）を、用紙Ｐの綴じリング１１１側の綴じ代側端縁に押し当て、並列された略円環状リング部の一方側の略円環状リング部から他方側の略円環状リング部に向けて略円環状リング部の環内に入れた押拡部を、リングの分離部と略円環状リング部の円環の中心とを結ぶ線と交差する方向において、押し当てたまま動かし、環内の内側に当接する位置を変位させる。
ノート類のリングの手動開き具２１０は、押拡部２１４のリング挿入部２１６より幅方向に拡がった端縁を、略円環状リング部１２０の内側から宛がい、間隙部（分離部１３０）を押し開けるように構成されている。
このように、ノート類のリングの手動開き具２１０は、略円環状リング部１２０の向き合う右側のリングの端部１２１及び左側のリングの端部１２２の間のリングの分離部１３０の間隔を拡げて、綴じリング１１１から用紙Ｐを取り外すように構成している。
【００２４】
並列されたリングの向こう側のリングから手前側のリングに向けてのびるハンドル部２１２と、ハンドル部２１２の一方端に形成された押拡部２１４と、ノート類Ｎの用紙Ｐの綴じ穴１１０に挿入されて用紙Ｐを綴じる略円環状リング部１２０の側部から押拡部２１４をリングの環内に入れるためのリング挿入部２１６とは、合成樹脂で一体成形されている。
【００２５】
ハンドル部２１２は、手で握ることができる板状ないしは棒状である。ハンドル部２１２は、綴じリング１１１の向こう側の略円環状リング部１２０から手前側の略円環状リング部１２０に向けてのびる長手方向を備える。
ハンドル部２１２は、手で握る把手部２２０と、把手部２２０の向こう側に突設された介在部２２２とを備える。
介在部２２２は、把手部２２０を手で握ったとき、手の平側に向けて把手部２２０より突出している。介在部２２２は、略円環状リング部１２０の太さよりも長い高さを備えている。
【００２６】
前記押拡部２１４は、ハンドル部２１２の向こう側から手前側に向けてのびる板状であって、ハンドル部２１２の略３分の１の長さを有する、平面視翼状である。
押拡部２１４は、ハンドル部２１２の手前側に位置する先端２３０が先細であり、その先端２３０よりその幅がハンドル部２１２の厚さ方向すなわちハンドル部２１２の前後軸と交差する方向に広がる。
すなわち、押拡部２１４は、ハンドル部２１２の手前側から向こう側に至るに従って、ハンドル部２１２の厚さ方向に向けて徐々にその幅が拡がるように形成されている。
押拡部２１４の幅は、先端側では狭く、リング挿入部２１６の奥側では広くなっており、略円環状リング部１２０の直径より広くなるように広がっている。
押拡部２１４は、略円環状リング部１２０の環内に挿入され綴じリング１１１の並列方向に動かされたときに、先端２３０側よりハンドル部２１２の介在部２２２に連結される根元２３２側に向かうに従って徐々にその幅が広がっているために、根元２３２側の端縁が略円環状リング部１２０を外に押し出す。
押拡部２１４は、ハンドル部２１２の介在部２２２に連設されており、ハンドル部２１２の介在部２２２に位置するリング挿入側面２３４と、押拡部２１４を綴じリング１１１の略円環状リング部１２０の環内に挿入したとき略円環状リング部１２０の用紙Ｐの綴じ代側端と向き合う挿入平面２３６と、リング挿入側面２３４と挿入平面２３６との間に形成された右側面部２３８と、リング挿入側面２３４と挿入平面２３６との間に形成された左側面部２４０とを備える。
リング挿入側面２３４及び挿入平面２３６は、互いに平行な平面であり、右側面部２３８と左側面部２４０とは、リング挿入側面２３４及び挿入平面２３６と略直交する平面である。
リング挿入側面２３４と挿入平面２３６とのなす角度は、ノート類のリングの手動開き具２１０の手前側より向こう側に至るに従って、手前側が狭く且つ向こう側が広い鋭角状である。
押拡部２１４は、略円環状リング部１２０の環内に挿入され綴じリング１１１の並列方向に動かされたときに、先端２３０側よりハンドル部２１２の介在部２２２に連結される根元２３２側に向かうに従って徐々に右側面部２３８と左側面部２４０との間隔が広がっているために、根元２３２側の右側面部２３８及び左側面部２４０が略円環状リング部１２０を外に押し出す。
【００２７】
前記リング挿入部２１６は、ハンドル部２１２の手前側から向こう側に向けてのびる細隙であって、その最奥部が介在部２２２に位置する。
リング挿入部２１６は、ハンドル部２１２のリング挿入側面２２４と、前記リング挿入側面２２４に対向する押拡部２１４のリング挿入側面２３４との間に形成され、略円環状リング部１２０を挿入するように構成されている。
【００２８】
次に、本件発明にかかるノート類のリングの手動開き具２１０を使用して、ノート類Ｎの綴じリング１１１を塑性変形させてノート類Ｎの綴じリング１１１から用紙Ｐを取り外す方法について、図１１ないし図１４に基づいて説明する。
まず、ノート類Ｎの用紙Ｐの綴じ穴１１０に挿入され、先端２３０又は挿入平面２３６を用紙Ｐの綴じリング１１１側の綴じ代側端縁に押し当てられ、用紙Ｐを綴じる綴じリング１１１を、略円環状リング部１２０の向き合う右側のリングの端部１２１及び左側のリングの端部１２２の間の分離部１３０の間隔を拡げて、用紙Ｐを綴じリング１１１より取り外すために、並列された略円環状リング部１２０の一方側の略円環状リング部１２０から他方側の略円環状リング部１２０に向けて、ノート類のリングの手動開き具２１０の押拡部２１４を略円環状リング部１２０の環内に挿入する（図１１及び図１３参照）。
そのとき、リング挿入部２１６に綴じリング１１１の向こう側の略円環状リング部１２０からそれに続く略円環状リング部１２０が、順次挿入される。
次に、先端２３０又は挿入平面２３６を用紙Ｐの綴じリング１１１側の綴じ代側端縁に押し当て、略円環状リング部１２０の環内に入れた押拡部２１４を略円環状リング部１２０に押し当てたまま動かす（図１２及び図１４参照）。そのとき、略円環状リング部１２０の環内に入れた押拡部２１４を、リングの分離部１３０と略円環状リング部１２０の円環の中心とを結ぶ線と交差する方向に向けて、半径方向に変位させる。すなわち、押拡部２１４の右側面部２３８と左側面部２４０とのなす角度が押拡部２１４の先端２３０より根元２３２（リング挿入部２１６の最奥部）に向かうに従って拡がっているので、押拡部２１４の移動に伴って、右側面部２３８及び左側面部２４０が綴じリング１１１の略円環状リング部１２０を左右方向に押し拡げて分離部１３０を拡げる。
なお、ハンドル部２１２は、綴じリング１１１の略円環状リング部１２０が並列する方向に向けて、ハンドル部２１２の前後軸方向に手前側に引く。
このように、ノート類のリングの手動開き具２１０は、押拡部２１４のリング挿入部２１６より幅方向に拡がった端縁である右側面部２３８及び左側面部２４０を、略円環状リング部１２０の内側から宛がい、略円環状リング部１２０の横方向に向けて押し拡げ、間隙部（分離部１３０）を押し開けるように構成され、綴じリング１１１を塑性変形させ略円環状リング部１２０の向き合う右側のリングの端部１２１及び左側のリングの端部１２２の間のリングの分離部１３０の間隔を拡げて、間隔を拡げられた分離部１３０から用紙Ｐを抜き出して、綴じリング１１１から用紙Ｐを取り外すように構成している。
【００２９】
この発明にかかるノート類のリングの手動開き具１０は、図１９に示すように形成してもよい。
並列されたリングの向こう側のリングから手前側のリングに向けてのびるハンドル部１２と、ハンドル部１２の一方端に形成された押拡部１４と、ノート類Ｎの用紙Ｐの綴じ穴１１０に挿入されて用紙Ｐを綴じる略円環状リング部１２０の側部から押拡部１４をリングの環内に入れるためのリング挿入部１６とを合わせ外形を備えたシート状又は板状の開き具部材４１０ａ，開き具部材４１０ｂ及び開き具部材４１０ｃを複数準備し、それら複数のシート状又は板状の開き具部材４１０ａ，開き具部材４１０ｂ及び開き具部材４１０ｃを厚さ方向に積層して形成する。
複数のシート状又は板状の開き具部材４１０ａ，開き具部材４１０ｂ及び開き具部材４１０ｃは、熱溶着又は超音波で溶着して、一体化するとよい。
【００３０】
この発明にかかるノート類のリングの手動開き具１０は、図２０に示すように形成してもよい。
ハンドル部１２の一部に、前後軸方向に並ぶ綴じ具孔５１０ａ，綴じ具孔５１０ｂ，綴じ具孔５１０ｃ及び綴じ具孔５１０ｄを穿設し、綴じ具孔５１０ａ，綴じ具孔５１０ｂ，綴じ具孔５１０ｃ及び綴じ具孔５１０ｄに、ファイル・バインダ等の綴じ具を貫挿して、ファイル・バインダ等に、ノート類のリングの手動開き具１０を付設するように構成されている。
【００３１】
この発明にかかるノート類のリングの手動開き具２１０は、図１５ないし図１８に示すように形成してもよい。
このノート類のリングの手動開き具２１０の変形例であるノート類のリングの手動開き具３１０は、ハンドル部２１２の向こう側端の近傍に、それぞれ形状の異なる押拡部２１４が、一対形成されている。ハンドル部２１２と押拡部２１４との間には、リング挿入部２１６が形成されている。
ノート類のリングの手動開き具３１０は、板状ないしは棒状のハンドル部２１２と、ハンドル部２１２の向こう側の先端から手前側に向けてのびる板状ないしは棒状の押拡部２１４と、ハンドル部２１２と押拡部２１４との間にのびる空間のリング挿入部２１６とを備える。
【００３２】
ハンドル部２１２の先端側に、前後軸に交差する方向に向けて、第１の介在部３２２と第２の介在部３２３とが突設され、第１の介在部３２２に第１の押拡部３１４が連設され、第２の介在部３２３に第２の押拡部３１５が連設されている。
第１の介在部３２２と第２の介在部３２３とは、ハンドル部２１２の前後軸と交差する方向に向けて、反対方向にのびる。
第１の押拡部３１４は、ハンドル部２１２より短い板状ないしは棒状であって、ハンドル部２１２と斜交して、ハンドル部２１２と第１の押拡部３１４とが対向する領域に空間の第１のリング挿入部３１６を形成されており、ハンドル部２１２と第１の押拡部３１４とは、正面視略Ｊ字状に連設されている。すなわち、第１の押拡部３１４は、ハンドル部２１２の手前側に向かうに従ってハンドル部２１２と離れるように手前側に向けてのびる。
ハンドル部２１２は、把手部２２０の向こう側の先端に第１の介在部３２２を突設され、第１の押拡部３１４を連設するための第１の介在部３２２と把手部２２０とは平らな正面及び平らな平面を備え、段差のないフラットな面で連続している。
第１の押拡部３１４は、ハンドル部２１２の把手部２２０及び第１の介在部３２２の正面及び背面より、直交する方向、すなわちハンドル部２１２の前後軸と交差する方向に向けて外方にのびる平面視翼状である。
第２の押拡部３１５は、ハンドル部２１２より短い板状ないしは棒状であって、ハンドル部２１２と斜交して、ハンドル部２１２と第２の押拡部３１５とが対向する領域に空間の第２のリング挿入部３１７を形成されており、ハンドル部２１２と第２の押拡部３１５とは、正面視略Ｊ字状に連設されている。すなわち、第２の押拡部３１５は、ハンドル部２１２の手前側に向かうに従ってハンドル部２１２と離れるように手前側に向けてのびる。
ハンドル部２１２は、把手部２２０の向こう側の先端に第２の介在部３２３を突設され、第２の押拡部３１５を連設するための第２の介在部３２３と把手部２２０とは平らな正面及び平らな平面を備え、段差のないフラットな面で連続している。
第２の押拡部３１５は、ハンドル部２１２の把手部２２０及び第２の介在部３２３の正面及び背面より、直交する方向、すなわちハンドル部２１２の前後軸と交差する方向に向けて外方にのびる平面視翼状である。
ノート類のリングの手動開き具３１０は、棒状のハンドル部２１２の半ばから左右に張り出した、平面視略Ｔ字櫂状である。
【００３３】
押拡部２１４を構成する第１の押拡部３１４は、ハンドル部２１２の向こう側から手前側に向けてのびる板状であって、ハンドル部２１２の略３分の１の長さを有する、平面視翼状である。
第１の押拡部３１４は、ハンドル部２１２の手前側に位置する先端３３０が先細であり、その先端３３０よりその幅がハンドル部２１２の厚さ方向に広がる。
すなわち、第１の押拡部３１４は、ハンドル部２１２の手前側から向こう側に至るに従って、ハンドル部２１２の厚さ方向に向けて徐々にその幅が拡がるように形成されている。
第１の押拡部３１４の幅は、先端側では狭く、リング挿入部２１６を構成する第１のリング挿入部３１６の奥側では広くなっており、略円環状リング部１２０の直径より広くなるように広がっている。
第１の押拡部３１４は、略円環状リング部１２０の環内に挿入され綴じリング１１１の並列方向に動かされたときに、先端３３０側よりハンドル部２１２の介在部３２２に連結される根元３３２側に向かうに従って徐々にその幅が広がっているために、根元３３２側の端縁が略円環状リング部１２０を外に押し出す。
第１の押拡部３１４は、ハンドル部２１２の介在部３２２に連設されており、ハンドル部２１２の介在部３２２に位置するリング挿入側面３３４と、第１の押拡部３１４を綴じリング１１１の略円環状リング部１２０の環内に挿入したとき略円環状リング部１２０の用紙Ｐの綴じ代側端と向き合う挿入平面３３６と、リング挿入側面３３４と挿入平面３３６との間に形成された右側面部３３８と、リング挿入側面３３４と挿入平面３３６との間に形成された左側面部３４０とを備える。
リング挿入側面３３４及び挿入平面３３６は、互いに平行な平面であり、右側面部３３８と左側面部３４０とは、リング挿入側面３３４及び挿入平面３３６と略直交する平面である。
リング挿入側面３３４と挿入平面３３６とのなす角度は、ノート類のリングの手動開き具３１０の手前側より向こう側に至るに従って、手前側が狭く且つ向こう側が広い鋭角状である。
第１の押拡部３１４は、略円環状リング部１２０の環内に挿入され綴じリング１１１の並列方向に動かされたときに、先端３３０側よりハンドル部２１２の介在部３２２に連結される根元３２２側に向かうに従って徐々に右側面部３３８と左側面部３４０との間隔が広がっているために、根元３３２側の右側面部３３８及び左側面部３４０が略円環状リング部１２０を外に押し出す。
【００３４】
第１のリング挿入部３１６は、ハンドル部２１２の手前側から向こう側に向けてのびる細隙であって、その最奥部が介在部３２２に位置する。
第１のリング挿入部３１６は、ハンドル部２１２のリング挿入側面３２４と、前記リング挿入側面３２４に対向する第２の押拡部３１５のリング挿入側面３３４との間に形成され、略円環状リング部１２０を挿入するように構成されている。
【００３５】
押拡部２１４を構成する第２の押拡部３１５は、ハンドル部２１２の向こう側から手前側に向けてのびる板状であって、平面視翼状である。
第２の押拡部３１５は、ハンドル部２１２の手前側に位置する先端３５０が先細であり、その先端３５０よりその幅がハンドル部２１２の厚さ方向に広がる。
すなわち、第２の押拡部３１５は、ハンドル部２１２の手前側から向こう側に至るに従って、ハンドル部２１２の厚さ方向に向けて徐々にその幅が拡がるように形成されている。
第２の押拡部３１５の幅は、先端側では狭く、リング挿入部２１６を構成する第２のリング挿入部３１７の奥側では広くなっており、略円環状リング部１２０の直径より広くなるように広がっている。
第２の押拡部３１５は、略円環状リング部１２０の環内に挿入され綴じリング１１１の並列方向に動かされたときに、先端３５０側よりハンドル部２１２の第２の介在部３２３に連結される根元３５２側に向かうに従って徐々にその幅が広がっているために、根元３５２側の端縁が略円環状リング部１２０を外に押し出す。
第２の押拡部３１５は、ハンドル部２１２の第２の介在部３２３に連設されており、ハンドル部２１２の第２の介在部３２３に位置するリング挿入側面３５４と、第２の押拡部３１５を綴じリング１１１の略円環状リング部１２０の環内に挿入したとき略円環状リング部１２０の用紙Ｐの綴じ代側端と向き合う挿入平面３５６と、リング挿入側面３５４と挿入平面３５６との間に形成された右側面部３５８と、リング挿入側面３５４と挿入平面３５６との間に形成された左側面部３６０とを備える。
リング挿入側面３５４及び挿入平面３５６は、互いに平行な平面であり、右側面部３５８と左側面部３６０とは、リング挿入側面３５４及び挿入平面３５６と略直交する平面である。
リング挿入側面３５４と挿入平面３５６とのなす角度は、ノート類のリングの手動開き具３１０の手前側より向こう側に至るに従って、手前側が狭く且つ向こう側が広い鋭角状である。
第２の押拡部３１５は、略円環状リング部１２０の環内に挿入され綴じリング１１１の並列方向に動かされたときに、先端３５０側よりハンドル部２１２の第２の介在部３２３に連結される根元３５２側に向かうに従って徐々に右側面部３５８と左側面部３６０との間隔が広がっているために、根元３５２側の右側面部３５８及び左側面部３６０が略円環状リング部１２０を外に押し出す。
【００３６】
第２のリング挿入部３１７は、ハンドル部２１２の手前側から向こう側に向けてのびる細隙であって、その最奥部が第２の介在部３２３に位置する。
第２のリング挿入部３１７は、ハンドル部２１２の第２のリング挿入側面３２５と、前記第２のリング挿入側面３２５に対向する第２の押拡部３１５のリング挿入側面３５４との間に形成され、略円環状リング部１２０を挿入するように構成されている。
第１の押拡部３１４の右側面部３３８と左側面部３４０との間隔が、第２の押拡部３１５の右側面部３５８と左側面部３６０との間隔と異なり、第２の押拡部３１５の方が第１の押拡部３１４より大きい。
【００３７】
この発明にかかるノート類のリングの手動開き具１０は、図２１ないし図２３に示すように形成してもよい。
並列されたリングの向こう側のリングから手前側のリングに向けてのびるハンドル部１２と、ハンドル部１２の一方端に形成された押拡部１４と、ノート類Ｎの用紙Ｐの綴じ穴１１０に挿入されて用紙Ｐを綴じる略円環状リング部１２０の側部から押拡部１４をリングの環内に入れるためのリング挿入部１６とは、シート状開き具部材５１０Ａを折り曲げて組み立てられている。
シート状開き具部材５１０Ａは、第１ハンドル部５１２Ａ及び第２ハンドル部５１２Ｂを、折り曲げ線５９０で連設されている。
第１ハンドル部５１２Ａは、第１押拡部５１４Ａを連設されている。
第２ハンドル部５１２Ｂは、第２押拡部５１４Ｂを連設されている。更に、第２押拡部５１４Ｂに折り曲げ線５９２を介して第３押拡部５１４Ｃを連設され、第３押拡部５１４Ｃに折り曲げ線５９４及び折り曲げ線５９６を介して第４押拡部５１４Ｄを連設されている。
折り曲げ線５９４と折り曲げ線５９６との間には、一定の厚さをもたせるためのリング挿入片５８０を介在されている。
第３押拡部５１４Ｃは、第４押拡部５１４Ｄの固定舌片５７０を嵌入するための固定切り込み５７２を穿設されている。
第１押拡部５１４Ａと第２押拡部５１４Ｂとは、折り曲げ線５９０で折り曲げて合わせられ、ハンドル部５１２を形成されている。
第３押拡部５１４Ｃは、折り曲げ線５９２で折り曲げて、第１押拡部５１４Ａの第２押拡部５１４Ｂとの対向面に合わせ、第４押拡部５１４Ｄは、第１押拡部５１４Ａの第２押拡部５１４Ｂとの対向面とは反対側の面に合わせられる。
そして、第４押拡部５１４Ｄの固定舌片５７０を、第３押拡部５１４Ｃの固定切り込み５７２に嵌入されて、押拡部５１４を形成される。
【００３８】
以上のように、本件発明にかかるノート類のリングの手動開き具１０は、次のように構成されている。
ノート類Ｎの用紙Ｐの綴じ穴１１０に挿入されて用紙Ｐを綴じる綴じリング１１１を、略円環状リング部１２０の向き合う右側のリングの端部１２１及び左側のリングの端部１２２の間の分離部１３０の間隔を拡げて、用紙Ｐを綴じリング１１１より取り外すために、並列された略円環状リング部１２０の一方側の略円環状リング部１２０から他方側の略円環状リング部１２０に向けて略円環状リング部１２０の環内に入れた押拡部１４を略円環状リング部１２０の円環の中心からリングの分離部１３０に向く方向において押し当てたまま動かし、略円環状リング部１２０の環内に入れた押拡部１４が略円環状リング部１２０の円環の環内の内側に当接する位置を変位させて、又は、並列された略円環状リング部１２０の一方側の略円環状リング部１２０から他方側の略円環状リング部１２０に向けて略円環状リング部１２０の環内に入れた押拡部１４を、リングの分離部１３０と略円環状リング部１２０の円環の中心とを結ぶ線と交差する方向において、押し当てたまま動かし、環内の内側に当接する位置を変位させて、綴じリング１１１を塑性変形させ略円環状リング部１２０の向き合う右側のリングの端部１２１及び左側のリングの端部１２２の間のリングの分離部１３０の間隔を拡げて、綴じリング１１から用紙Ｐを取り外すように構成されている。
【符号の説明】
【００３９】
１０，２１０，３１０  ノート類のリングの手動開き具
１２，２１２  ハンドル部
１４，２１４  押拡部
１６，２１６  リング挿入部
２０，２２０  把手部
２２  わん曲部
２４，３４，２２４，２３４，３２４，３３４，３５４  リング挿入側面
３０，２３０，３３０，３５０  （押拡部の）先端
３２，２３２，３３２，３５２  （押拡部の）根元
３６  傾斜面
１１０  綴じ穴
１１１  綴じリング
１１５  直線部
１１６  第１の屈曲部
１１７  第２の屈曲部
１２０  略円環状リング部
１２１  右側のリングの端部
１２２  左側のリングの端部
１３０  分離部
２２２，３２２  介在部
２３６，３３６，３５６  挿入平面
２３８，３３８，３５８  右側面部
２４０，３４０，３６０  左側面部
３１４  第１の押拡部
３１５  第２の押拡部
３１６  第１のリング挿入部
３１７  第２のリング挿入部
３２２  第１の介在部
３２３  第２の介在部
３２５  第２のリング挿入側面
４１０ａ，４１０ｂ，４１０ｃ，５１０Ａ  開き具部材
５１０ａ，５１０ｂ，５１０ｃ，５１０ｄ  綴じ具孔
５１２Ａ  第１ハンドル部
５１２Ｂ  第２ハンドル部
５１４Ａ  第１押拡部
５１４Ｂ  第２押拡部
５１４Ｃ  第３押拡部
５１４Ｄ  第４押拡部
５７０  固定舌片
５７２  固定切り込み
５８０  リング挿入片
５９０，５９２，５９４，５９６  折り曲げ線
Ｃ  交差部
Ｌ  中間素材
Ｎ  ノート類
Ｐ  用紙
Ｐ１  表表紙
Ｐ２  裏表紙
Ｐ３  筆記用紙
【図１】
2014237249.tif 000003
【図２】
2014237249.tif 000004
【図３】
2014237249.tif 000005
【図４】
2014237249.tif 000006
【図５】
2014237249.tif 000007
【図６Ａ】
2014237249.tif 000008
【図６Ｂ】
2014237249.tif 000009
【図７Ａ】
2014237249.tif 000010
【図７Ｂ】
2014237249.tif 000011
【図８】
2014237249.tif 000012
【図９】
2014237249.tif 000013
【図１０】
2014237249.tif 000014
【図１１】
2014237249.tif 000015
【図１２】
2014237249.tif 000016
【図１３】
2014237249.tif 000017
【図１４】
2014237249.tif 000018
【図１５】
2014237249.tif 000019
【図１６】
2014237249.tif 000020
【図１７】
2014237249.tif 000021
【図１８】
2014237249.tif 000022
【図１９】
2014237249.tif 000023
【図２０】
2014237249.tif 000024
【図２１】
2014237249.tif 000025
【図２２】
2014237249.tif 000026
【図２３】
2014237249.tif 000027
【図２４】
2014237249.tif 000028
【図２５】
2014237249.tif 000029
【図２６】
2014237249.tif 000030
【図２７】
2014237249.tif 000031
【図２８】
2014237249.tif 000032
【図２９】
2014237249.tif 000033
【図３０】
2014237249.tif 000034
【図３１】
2014237249.tif 000035